(57)【要約】【課題】低コストで、同時に複数の番組を録画しても録画番組の品質低下を抑えることができる録画再生装置を提供すること。【解決手段】録画再生装置（１）は、複数の番組の録画を検知すると（符号Ａ）、番組を録画するのに必須のＥＩＴであるＥＩＴ［p/f actual］のみ、ＴＳの中から抽出する処理を実行し、他のＥＩＴ、例えば、ＥＩＴ［p/f other］、ＥＩＴ［schedule...］の抽出処理を停止する（符号Ｂ）。その後、複数の番組の録画が終了し一番組のみの録画を検知すると（符号Ｃ）、抽出処理を停止していた他のＥＩＴの抽出処理を再開する（符号Ｄ）。【選択図】図１
2010035069.tif 000002
【特許請求の範囲】
【請求項１】
デジタル放送信号を選局し受信する複数のチューナを備え、同時に複数の番組の録画が可能な録画再生装置において、
複数の番組の録画が開始されたこと及び終了したことを検知する検知部と、
受信されたデジタル放送信号の中から番組関連情報の抽出処理を行う処理部とを備え、
前記処理部は、複数の番組の録画が開始されたことを検知すると、番組録画に必須の番組関連情報のみを抽出し、抽出した番組関連情報に基づき録画制御を行い、他の番組関連情報の抽出処理を停止することを特徴とする録画再生装置。
【請求項２】
複数の番組録画が終了し、一番組が録画されていることを検知すると、前記他の番組関連情報の抽出処理を再開することを特徴とする請求項１に記載の録画再生装置。
【請求項３】
前記番組録画に必須の番組関連情報は、EIT[p/f actual]であることを特徴とする請求項１又は２に記載の録画再生装置。
【発明の詳細な説明】
【技術分野】
【０００１】
本発明は、複数チューナを備えたデジタル放送録画再生装置に係わり、特に、複数番組を録画する際の処理負荷を削減できるデジタル放送録画再生装置に関する。
【背景技術】
【０００２】
現在、同時に複数の番組の録画を可能にするために複数のチューナを備えたデジタル放送録画再生装置（以下、録画再生装置と記す）が市場に投入されている（特許文献１参照）。
【０００３】
このような録画再生装置では、同時に複数の番組を録画する場合、受信した放送信号のデスクランブル処理、復調処理、各種映像処理が、複数番組分、実行される。また、受信したデジタル放送信号の中から番組関連情報、ＥＩＴ（イベント情報テーブル：Event Information Table）を抽出する処理が実行される。
【０００４】
そして、受信したＥＩＴに基づいて、番組選択、録画予約などの利便性を向上させるＥＰＧ（電子番組表）を構築したり、録画終了のタイミングを制御する。
【特許文献１】特開２００６−０４１８３８号公報
【発明の開示】
【発明が解決しようとする課題】
【０００５】
ところで、同時に複数の番組を録画する場合、録画番組の数が増えるに従ってデータ処理量が増えるので、上記の各種処理における処理負荷が増大し、処理能力が低下する。
【０００６】
その結果、放送信号のデスクランブル処理、復調処理などが間に合わなくなり、録画番組の記録において、コマ落ちや音飛び等の録画エラーが発生し、録画番組の品質が低下してしまう。
このような問題を解決するためには、上記の各種処理を実行するＣＰＵの処理能力を上げ、メモリ容量を増やせばよいが、録画再生装置の製造価格が上昇することになる。
【０００７】
本発明は、かかる実情に鑑みてなされたものであり、低コストで、同時に複数の番組を録画しても録画番組の品質低下を抑えることができる録画再生装置を提供することを目的とする。
【課題を解決するための手段】
【０００８】
第１の技術手段は、デジタル放送信号を選局し受信する複数のチューナを備え、同時に複数の番組の録画が可能な録画再生装置において、複数の番組の録画が開始されたこと及び終了したことを検知する検知部と、受信されたデジタル放送信号の中から番組関連情報の抽出処理を行う処理部とを備え、前記処理部は、複数の番組の録画が開始されたことを検知すると、番組録画に必須の番組関連情報のみを抽出し、抽出した番組関連情報に基づき録画制御を行い、他の番組関連情報の抽出処理を停止することを特徴とする録画再生装置である。
【０００９】
第２の技術手段は、第１の技術手段において、複数の番組録画が終了し、一番組が録画されていることを検知すると、前記他の番組関連情報の抽出処理を再開することを特徴とする。
【００１０】
第３の技術手段は、第１又は第２の技術手段において、前記番組録画に必須の番組関連情報は、ＥＩＴ［p/f actual］であることを特徴とする。
【発明の効果】
【００１１】
本発明により、番組録画時における処理負荷を削減することができるので、同時に複数の番組を録画しても録画番組の品質低下を抑えることができる録画再生装置を提供することができる。また、高性能なハードウェアを使用することなく処理負荷を削減するので、製造価格が上昇することがない。
【発明を実施するための最良の形態】
【００１２】
図１は、放送局Ａが放送する番組Ａの録画開始から終了まで、及び、放送局Ｂが放送する番組Ｂの録画開始から終了までのタイミングを示した図である。番組Ａの録画開始から所定時間が経過後、番組Ｂの録画が開始される。その後、番組Ｂの録画が終了し、番組Ａの録画が終了する。
【００１３】
上記の録画処理においては、放送局が送信するＴＳ（放送ストリーム）を受信し、受信したＴＳからＡＶデータ、ＳＩを抽出・分離する。
そして、ＡＶデータに各種処理を施し、ＨＤＤ等に記録すると共に、分離したＳＩの中から、ＥＩＴを抽出する。
【００１４】
なお、ＳＩ（番組配列情報：Service Information）とは番組選択の利便性のために規定された各種情報を意味し、（社）電波産業会において制定された規格（ＡＲＩＢ規格）で定義されている。ＳＩは、ＴＳ（Transport Stream）中のＩＳＯ／ＩＥＣ１３８１８−１でユーザ定義可能として開放された領域を使用して、ＴＳに多重化されて放送局等から送信されており、録画再生装置に対してＥＰＧに関する各種情報を提供する。
ＥＩＴは、イベント（番組を表すことが多い）情報を記述したテーブルで、前述したＳＩに含まれる各種情報の一つである。番組ごとに、開始時刻、番組時間、番組名、出演著、番組のジャンル等の情報がこのテーブルに記述される。録画再生装置は、主に、ＥＩＴをもとにＥＰＧを作成することができる。
【００１５】
図２は、本発明に係わる複数のチューナを備えた録画再生装置において、各チューナ（Ａ、Ｂ）によって選局された各放送局が送信する各ＴＳを受信し、受信したＴＳに含まれるＳＩの中から、ＥＩＴを抽出する処理を説明する図である。
【００１６】
チューナＡによって選局された放送局Ａが送信する番組Ａに係わるＴＳを受信すると、録画再生装置は、ＴＳの中からＥＩＴを抽出する処理（ＥＩＴセクションフィルタリング処理）を行い（ステップＳ１）、抽出されたＥＩＴのデータ構造に従ってＥＩＴの構文解析処理を実行する（ステップＳ２）。
そして、ＥＩＴの構文解析後、解析されたイベント情報（ＥＩ）に基づき、電子番組表（ＥＰＧ）の構築処理が実行される（ステップＳ３）。
また、同時間に、チューナＢによって選局された放送局Ｂが送信する番組Ｂに係わるＴＳの受信においても同様の処理が実行される（ステップＳ１’、ステップＳ２’）。
なお、同時に、各番組の録画処理が実行される。
【００１７】
ところで、ＥＩＴにおいては、図３に示すように様々な種類が規定され、タイプにより放送局から送信されるタイミング等が異なる。
ＥＩＴ［p/f...］は、番組開始／終了、番組編成変更時に放送局から送信され、ＥＩＴ［schedule...］は、毎日午前０時、番組編成変更時、その他情報変更時に放送局から送信される。
【００１８】
また、ＥＩＴ［p/f actual］は、例えば野球番組が延長した場合など番組編成変更に対応した録画制御を行うため、当該ＥＩＴに係わる番組の録画において必須の情報である。その他のＥＩＴは番組の録画において必ずしも必要ではない。
ＥＩＴ［schedule...］は、多数の番組に係わる情報が含まれているためデータ量が大きい。
【００１９】
図１で示した状態において、例えば、番組Ａ及び番組Ｂの録画時間帯が午前０時をまたぐと、前記番組を録画している間に、図３に示すように、データ量が大きいＥＩＴ［schedule...］が放送局から送信されるので、録画再生装置は、当該ＥＩＴ［schedule...］の抽出処理を実行する。
【００２０】
このように複数の番組を録画中に、ＥＩＴ［schedule...］の抽出処理を実行すると、データ処理量が大きくなり録画再生装置のＣＰＵ、メモリに大きな負荷をかけることになり、処理能力が低下する。
例えば、デジタル放送のスクランブル放送を録画する場合、ＥＣＭセクションとＢ−ＣＡＳカードから得られるデスクランブル鍵を用いて、ＭＵＬＴＩ２暗号をリアルタイムにデスクランブルする必要がある。しかし、処理能力が低下すると、デスクランブル処理が間に合わなくなり、暗号解除されていないパケットデータが録画（記録）されてしまい、録画番組の再生時において、ブロックノイズや音声ノイズが発生して録画番組の品質が低下してしまう。
【００２１】
他にも、処理能力が低下すると、セクションフィルタリング用のバッファー（メモリ）にリアルタイムでスタックされたパケットデータが、オーバーフローすることがある。この場合、まだフィルタリング処理されていないパケットが消失することになり、例えば字幕のパケットが消失すれば、字幕データを記録することができなくなる。
【００２２】
なお、ＥＩＴ［schedule...］を受信していなくても、ＥＩＴ［p/f other］を受信している場合においても同様な問題が発生することもある。
【００２３】
そこで、本発明に係わる録画再生装置は、複数の番組の録画が開始されたことを検知すると（図１の符号Ａ）、番組を録画するのに必須のＥＩＴであるＥＩＴ［p/f actual］のみ、ＴＳの中から抽出する処理を実行し、他のＥＩＴ、例えば、ＥＩＴ［p/f other］、ＥＩＴ［schedule...］の抽出処理を停止する（同符号Ｂ）。そして、抽出したＥＩＴセクションのデータ構造に従ってＥＩＴの構文解析処理を実行する。
【００２４】
その後、複数の番組の録画が終了し一番組のみの録画を検知すると（同符号Ｃ）、抽出処理を停止していた他のＥＩＴの抽出処理を再開する（同符号Ｄ）。
【００２５】
このようにすることで、複数番組を録画中に発生する処理能力の低下による、録画番組の品質低下を防ぐことができる。
【００２６】
図４は、上述したＥＩＴの抽出制御を実行する、本発明に係わる録画再生装置１の機能ブロック図である。
録画再生装置１は、デジタル放送信号を選局し受信する複数のチューナを備え、同時に複数の番組の録画が可能である。
【００２７】
１１は、複数のボタン、操作パネル等から構成される操作部で、ユーザは、当該操作部を介して録画再生装置１を操作する。なお、操作部１１は、リモコン等から構成してもよい。
１２は、録画再生装置１の状態情報などを表示する表示部、１３は、各種制御情報等を記録するメモリである。
１４は、各機能ブロックを制御する制御部で、録画処理を制御する録画処理制御部１４ａを備える。録画処理制御部１４ａは、複数の番組の録画が開始されたこと及び終了したことを検知する処理も実行する。なお、Ｂは、バスである。
【００２８】
２１は、チューナユニットで、アンテナ２を介してデジタル放送を選局するための２つのチューナ、チューナＡ２１ａ、チューナＢ２１ｂを備える。
【００２９】
（チューナＡ２１ａからの信号）
まず、チューナＡ２１ａが出力する放送信号の処理に係わる機能ブロックについて説明する。
チューナＡ２１ａは、選局したデジタル放送信号を復調ユニット２２の復調部Ａ２２ａに出力する。復調部Ａ２２ａは、チューナＡ２１ａからのデジタル放送信号を復調し、復調した信号に各種処理を施し、分離ユニット２３の分離部Ａ２３ａに出力する。
【００３０】
復調部Ａ２２ａからの信号を受信した分離ユニット２３の分離部Ａ２３ａは、当該信号の中から、ＡＶ（映像音声）信号とＳＩ（ＥＩＴ）とを抽出・分離し、分離したＡＶ信号／ＳＩを録画処理ユニット２４の録画処理部Ａ２４ａに出力する。また、分離したＥＩＴをＥＩＴデータ処理ユニット２５のＥＩＴ抽出部Ａ２５１ａに出力する。
【００３１】
分離ユニット２３の分離部Ａ２３ａからのＡＶ信号などを受信した録画処理ユニット２４の録画処理部Ａ２４ａは、録画するＡＶ信号などの選別を実行する。録画するＡＶ信号の選別においては、例えば、録画（記録）に不要な、字幕やデータ放送信号を選別する。そして、映像圧縮処理などの映像処理を行う場合、同処理部Ａ２４ａは、選別されたＡＶ信号をデコードし、圧縮処理などの各種処理を施した上で、ＨＤＤ２６に記録する。また、映像圧縮処理などの映像処理を行わない場合には、選別されたＡＶ信号をＨＤＤ２６に記録する。なお、ＳＩも必要に応じて記録される。
【００３２】
分離ユニット２３の分離部Ａ２３ａからのＥＩＴを受信したＥＩＴデータ処理ユニット２５のＥＩＴ抽出部Ａ２５１ａは、受信したＥＩＴから、ＥＩＴ［p/f actual］、ＥＩＴ［p/f other］、ＥＩＴ［schedule actual basic］、ＥＩＴ［schedule actual extended］、ＥＩＴ［ｓｃｈｅｄｕｌｅ  ｏｔｈｅｒ  ｂａｓｉｃ］、ＥＩＴ［schedule other extended］を抽出し、抽出したＥＩＴをＥＩＴ構文解析部Ａ２５２ａに出力する。
なお、上記の抽出処理は、ＥＩＴデータのテーブル識別子（table_id）を参照することにより行われる（ＡＲＩＢ規格書  ＳＴＤ−Ｂ１０  ４．５版  参照）。
【００３３】
ＥＩＴ抽出部Ａ２５１ａからのＥＩＴを受信したＥＩＴ構文解析部Ａ２５２ａは、抽出されたＥＩＴの種類に基づき、構文解析を行い、解析結果をＥＰＧ構築部２７に出力する。解析結果を受信したＥＰＧ構築部２７は、当該解析結果に基づき、ＥＰＧの構築処理を実行する。
【００３４】
（チューナＢ２１ｂからの信号）
チューナＢ２１ｂが出力する放送信号についても、上記で説明したチューナＡ２１ａが出力する放送信号と同様の処理が、復調ユニット２２の復調部Ｂ２２ｂ、分離ユニット２３の分離部Ｂ２３ｂ、録画処理ユニット２４の録画処理部Ｂ２４ｂ、ＥＩＴデータ処理ユニット２５のＥＩＴ抽出部Ｂ２５１ｂ、同ＥＩＴ構文解析部Ｂ２５２ｂによって実行されるので、詳細な説明は省略する。
【００３５】
（ＥＩＴ抽出処理制御）
次に、ＥＩＴ抽出処理制御の詳細について説明する。
２５３は、ＥＩＴ抽出処理制御部で、録画処理制御部１４ａが、複数の番組の録画（複数番組の同時録画）が開始されたことを検知すると、ＥＩＴ抽出部Ａ２５１ａ及びＥＩＴ抽出部Ｂ２５１ｂに、受信したＥＩＴから番組録画に必須のＥＩＴ［p/f actual］のみを抽出し、他のＥＩＴ［p/f other］、ＥＩＴ［schedule...］の抽出処理を停止するように指示する。当該指示を受けたＥＩＴ抽出部Ａ２５１ａ及びＥＩＴ抽出部Ｂ２５１ｂは、前記指示に基づき、受信したＥＩＴからＥＩＴ［p/f actual］のみを抽出する。なお、抽出したＥＩＴ［p/f actual］に基づき、録画制御、例えば、録画終了タイミングの決定が行われる。
【００３６】
その後、録画処理制御部１４ａが、複数の番組の録画の終了（一番組の録画）を検知すると、ＥＩＴ抽出部Ａ２５１ａ及びＥＩＴ抽出部Ｂ２５１ｂに、他のＥＩＴ［p/f other］、ＥＩＴ［schedule...］の抽出処理の停止を取り消すように指示する。当該指示を受けたＥＩＴ抽出部Ａ２５１ａ及びＥＩＴ抽出部Ｂ２５１ｂは、前記指示に基づき、停止していたＥＩＴ［p/f other］、ＥＩＴ［schedule actual basic］等の抽出処理を再開する。
【００３７】
つまり、ＥＩＴデータ処理ユニット（処理部）２５は、受信されたデジタル放送信号の中からＥＩＴの抽出処理を行う。また、ＥＩＴデータ処理ユニット（処理部）２５は、録画処理制御部（検知部）１４が、複数の番組の録画が開始されたことを検知すると、番組録画に必須のＥＩＴ［p/f actual］のみを抽出し、抽出したＥＩＴ［p/f actual］に基づき録画制御を行い、他のＥＩＴ、例えばＥＩＴ［p/f other］、ＥＩＴ［schedule…］の抽出処理を停止する。
そして、録画処理制御部（検知部）１４が、複数の番組録画が終了し、一番組が録画されていることを検知すると、前記他のＥＩＴの抽出処理を再開する。
【００３８】
なお、抽出処理を再開する場合は、チューナＡ２１ａが出力するデジタル放送信号の中から他のＥＩＴを抽出するだけでなく、チューナＢ２１ｂからのデジタル放送信号の出力が継続している場合、チューナＢ２１ｂが出力するデジタル放送信号の中からＥＩＴを抽出するようにしてもよい。
【００３９】
ＥＩＴ抽出処理制御について図５に示すフロー図を用いて説明する。
まず、録画予約、又は、ユーザの操作による録画が開始されたか否かを判定（検知）する（ステップＳ１１）。録画処理制御部１４ａによって録画が開始されたことが検知されると（ステップＳ１１／録画開始）、同制御部１４ａによって、複数の番組の録画か否かを判定する（ステップＳ１２）。
【００４０】
複数の番組の録画の場合（ステップＳ１２／複数番組）、ＥＩＴ抽出部Ａ２５１ａ及びＥＩＴ抽出部Ｂ２５１ｂは、ＥＩＴ抽出処理制御部２５３からの指示に基づき、受信したＥＩＴからＥＩＴ［p/f actual］のみを抽出し、他のＥＩＴ［p/f other］、ＥＩＴ［schedule...］の抽出処理を停止し（ステップＳ１３）、ステップＳ１１に戻る。同時に、番組録画処理が実行される。
なお、一番組の録画の場合（ステップＳ１２／一番組）、ステップＳ１３の処理を実行せず、ステップＳ１１に戻る。
【００４１】
ステップＳ１１で、録画の終了が検知されると（ステップＳ１１／録画終了）、制御部１４によって当該録画の終了処理が実行され、更に、録画処理制御部１４ａによって、複数の番組の録画が終了し一番組のみの録画か否かが判定（検知）される（ステップＳ１４）。
複数の番組の録画が終了し一番組のみの録画が検知された場合（ステップＳ１４／一番組）、ステップＳ１３で停止していた、他のＥＩＴ［p/f other］、ＥＩＴ［schedule...］の抽出処理を再開し（ステップＳ１５）、ステップＳ１１に戻る。
なお、複数の番組の録画状態のままの場合（ステップＳ１４／複数番組）、ステップＳ１５の処理を実行せず、ステップＳ１１に戻る。
【００４２】
ステップＳ１１で、録画再生装置１の電源オフが検知されると（ステップＳ１１／電源オフ）、処理を終了する。
【００４３】
このようにすることで、番組録画時における処理負荷を削減することができるので、複数番組を同時に録画しても録画番組の品質低下を抑えることができる。
特に、デジタル放送特有の処理負荷である、毎日午前０時、番組編成変更時、その他情報変更時に送信されるＥＩＴ［schedule...］等の抽出処理を抑制することで、録画番組の品質低下を抑えることができる。
【００４４】
なお、本実施例では、同時に複数の番組を録画する例として、２番組を録画する例を示したが、３番組以上を録画する場合にも本発明を適用できる。この場合、３つ以上のチューナ、その他、分離部などのデータ処理部を録画再生装置に設ければよい。
録画番組を、内蔵のＨＤＤ２６でなく、ＤＶＤ、ＢＤ等の記録媒体、外付けのＨＤＤに記録してもよく、ＨＤＤ２６は必須ではない。
【図面の簡単な説明】
【００４５】
【図１】番組の録画開始／録画終了タイミングを示した図である。
【図２】ＥＩＴを抽出する処理を説明するための図である。
【図３】ＥＩＴの種類を説明するための図である。
【図４】本発明に係わる録画再生装置の機能ブロック図である。
【図５】ＥＩＴ抽出処理制御について説明するためのフロー図である。
【符号の説明】
【００４６】
１…録画再生装置、２…アンテナ、１１…操作部、１２…表示部、１３…メモリ、１４…制御部、１４ａ…録画処理制御部、２１…チューナユニット、２１ａ…チューナＡ、２１ｂ…チューナＢ、２２…復調ユニット、２２ａ…復調部Ａ、２２ｂ…復調部Ｂ、２３…分離ユニット、２３ａ…分離部Ａ、２３ｂ…分離部Ｂ、２４…録画処理ユニット、２４ａ…録画処理部Ａ、２４ｂ…録画処理部Ｂ、２５…ＥＩＴデータ処理ユニット、２５１ａ…ＥＩＴ抽出部Ａ、２５１ｂ…ＥＩＴ抽出部Ｂ、２５２ａ…ＥＩＴ構文解析部Ａ、２５２ｂ…ＥＩＴ構文解析部Ｂ、２５３…ＥＩＴ抽出処理制御部、２６…ＨＤＤ、２７…ＥＰＧ構築部。
【図１】
2010035069.tif 000003
【図２】
2010035069.tif 000004
【図３】
2010035069.tif 000005
【図４】
2010035069.tif 000006
【図５】
2010035069.tif 000007